(57)【要約】      （修正有）【課題】レジ袋等を開口するのに必要十分な水分を指先に供給し、濡れ雑巾等を使用せず、容易に指を潤すことができる器具を提供する。【解決手段】レジ袋・ポリ袋の開口又は書類・紙幣の捲り作業の際に指先を潤すための器具であって、貯水タンク１１及び貯水タンクに着脱自在に着設された給水キャップ１２を具備する給水部１と、給水部を支持する本体部２とを有する。給水キャップの底部に給水孔が配設され、給水孔に指先を接触させることにより給水タンク内の水が給水孔を通過し指先を潤す。給水キャップの底部に給水孔を有する小キャップ１３が着脱自在に着設されていてもよい。【選択図】図１
0003199616.tif 000002
【実用新案登録請求の範囲】
【請求項１】
レジ袋・ポリ袋の開口又は書類・紙幣の捲り作業の際に指先を潤すための器具であって、
貯水タンク及び前記貯水タンクに着脱自在に着設された給水キャップを具備する給水部と、
前記給水部を支持する本体部と、
を有し、前記給水キャップの底部には給水孔が配設され、前記給水孔に指先を接触させることにより前記給水タンク内の水が前記給水孔を通過し前記指先を潤すことを特徴とする器具。
【請求項２】
前記給水キャップの底部には給水孔を有する小キャップが着脱自在に着設されており、前記給水孔に指先を接触させることにより前記給水タンク内の水が前記給水孔を通過し前記指先を潤すことを特徴とする請求項１記載の器具。
【考案の詳細な説明】
【技術分野】
【０００１】
本考案は、ポリ袋を開口したり、書類・紙幣を捲るなどの作業を行い易くするために、指先を潤す器具に関する。
【背景技術】
【０００２】
スーパーマーケット等においては購入物を入れるためのポリオレフィン製のポリ袋（通称「レジ袋」）が使用されている。また、生鮮食料品等の濡れ物を他の購入物から隔離するための極薄のポリ袋がロール状態で置かれており、購入者は該ロールをミシン目で切り取って使用する。
【０００３】
これらのレジ袋や極薄のポリ袋は、未使用の状態では２枚の素材が密着する形で口が閉じており、店員が開いてくれないときは指先で摘まんで素材を横にずらして開く必要がある。しかし、冬季など乾燥しているときは、指先が乾いて開くことができずに手間取ることが多い。このため、多くのスーパーマーケットでは、作業台の上に濡れ雑巾又は水分を含ませた海綿を置いている。
【０００４】
また、事務所等において書類を捲ったり紙幣を数えたりする際には、水で湿らせた事務用の海綿に指をつけたり、ゴム製のサックを指にはめるなどすることが多い。
【先行技術文献】
【特許文献】
【０００５】
【特許文献１】実用新案登録第３１６５４９７号
【特許文献１】特開２０１２−１４８７９５号
【考案の概要】
【考案が解決しようとする課題】
【０００６】
前述のように、スーパーマーケット等では、消費者がレジ袋や極薄のポリ袋の口を開けるために使用する濡れ雑巾や海綿を作業台上に置いている。しかしながら、不特定多数の消費者が指をつける濡れ雑巾や海綿で指を濡らすことには抵抗を感じる消費者が多く、やむなく指をなめる消費者も少なからず見受けられる。また、実際も雑巾等の表面でウィルス等が繁殖する可能性があり、店の側も乾燥防止や衛生面において、こまめな管理が必要となる。
【０００７】
また、事務所等における書類・紙幣の捲り作業についても、上述のスーパーマーケット等と同様の事情がある一方、捲り作業以外の作業を並行して行っているときには、いちいちサックをつけたり外したりすることは迂遠である。また、ゴム製の指サックの装着は指が蒸れる等の問題もある。
【０００８】
上述の問題に鑑み、特許文献１には、ばね構造を有する略Ｕ字型の柄の両先端の噛み合わせ部分に粘着ゲル状シールを張り付け、これによってレジ袋等の口部分をはさんで開口する器具が開示されている。しかしながら、前記ゲル状シールは粉状の物が付着した時や一定回数の使用後には粘着力を失うため、頻繁にシールを交換する必要があるばかりか、袋を開けるために、このような器具を手に取りレジ袋を挟むといった迂遠な行為を行う消費者は少ないと考える。
【０００９】
また、特許文献２には、片面に粘着シートを張り付けた矩形の板で、該粘着シート面にレジ袋の片面をこすりつけることによりレジ袋等を開口する器具が提案されている。しかし、レジ袋の一面だけを粘着シートにこすり付けても、指が乾燥しているときは、他方の面と指との間に摩擦を生じさせることができず、指で挟むときと同じ困難性が生じると考える。
【００１０】
上述の問題に鑑み、本考案においては、レジ袋等を開口するに必要十分な水分だけを指先に供給し、濡れ雑巾等を使用せず、容易に指を潤すことができる器具を提供することを課題とする。
【課題を解決するための手段】
【００１１】
上記課題を解決するために、本考案に係る器具は、レジ袋・ポリ袋の開口又は書類・紙幣の捲り作業の際に指先を潤すための器具であって、貯水タンク及び該貯水タンクに着脱自在に着設された給水キャップを具備する給水部と、前記給水部を支持する本体部とを有することを特徴とする。
【００１２】
請求項１の器具は、前記給水キャップの底部に給水孔が配設され、該給水孔に指先を接触させることにより前記給水タンク内の水が前記給水孔を通過し前記指先を潤すことを特徴とする。
【００１３】
請求項２の器具は、前記給水キャップの底部に給水孔を有する小キャップが着脱自在に着設されている構成になっており、前記給水キャップの給水孔に指先を接触させることにより給水タンク内の水が給水孔を通過し指先を潤すことを特徴とする。
【考案の効果】
【００１４】
本考案により、スーパーマーケット等の店を利用する多くの消費者が気持ちよく指を潤し、レジ袋等を簡単に開口することができるようになる。
【００１５】
スーパーマーケット等の店側は不衛生な雑巾を注意して管理する必要がなくなる。また、本器具の貯水容器は、使用量との比較において十分な量の水を貯水することができるため、定期的なチェックのみにより管理することができる。
【００１６】
事務所等における書類・紙幣の捲り作業についても、ゴム製のサックを指にはめたり外したりすることが必要なくなる。
【００１７】
本器具は低コストでの製造・供給が可能であるため、雑巾や海綿に代わり、新たな市場を創出することが可能となる。
【図面の簡単な説明】
【００１８】
【図１】本実施形態の器具の後方向からの斜視図である。
【図２】本実施形態の器具の前方向からの斜視図である。
【図３】本実施形態の器具の平面図である。
【図４】図３平面図ＡＡ´線断面図である。
【図５】本実施形態の器具を構成する各部品の斜視図である。    ある。
【考案を実施するための形態】
【００１９】
本実施形態の指先を潤す器具について図を用いて説明する。本実施形態の器具は請求項２に係る器具である。  
【００２０】
全体の構成として、本器具は、給水部１と本体部２から成る（図１及び２）。
給水部１は水を貯水し供給する役割を担い、貯水タンク１１及び給水キャップ１２を有する。給水キャップ１２には、さらに、小キャップ１３が着脱自在に着設されており、小キャップ１３の底部には水を得るための給水孔１３１が配設されている（図４）。給水孔１３１は直径を約３ｍｍとすることにより、使用待機時は表面張力により水が漏れ落ちることがなく、指先が孔に触れたときだけ、ごく少量の水が通過する構造となっている。
【００２１】
本体部２は給水部１を支持する役割を担い、底部近傍には、安定のための錘３、及び滴水を受けるためのトレイ４が配備されている（図１及び２）。
【００２２】
次に、具体的な構成について説明する。
図５に示すように、給水キャップ１２は貯水タンク１１に螺子着する構成になっており、貯水タンク１１への水の供給は、通常、給水キャップ１２を外して行う。小キャップ１３は給水キャップ１２の突出し部分にパッキン１４（図４）を介して嵌着する構成になっており、多数回の指の接触により汚れたり、給水孔１３１が詰まったりした場合には外して清掃又は交換が可能になっている。
【００２３】
本体部２の上部は給水キャップ１２の外形と同形のタンク受入溝２１（図５）が形成されており、給水キャップ１２がタンク受入溝２１に嵌着される形で給水部１を支持する構成となっている。また、本体部２の底部はトレイ４を配備するためにトレイ４の外形と同形のトレイ載置部２３（図５）が形成されており、清掃又は交換の際にトレイ４の取り外しが可能となっている。さらに、本体部２の背面側の底部には、直方体の錘３を受け入れるための錘挿入口２２（図１）が形成されており、本器具を持ち運ぶ際には錘３を外すことが可能となっている。本体部２の錘３とトレイ４の配置関係は図４に示すとおりである。
【００２４】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、請求項１に係る器具については、給水部を貯水タンクと給水キャップのみの構成とすることが可能である。この場合、給水部は小キャップを有さず、給水孔は給水キャップに直接形成される形態となる。また、給水孔周辺の機構についても小キャップに代わり、洗面所に設置されている液体洗剤の供給器に見られるようなバネ式の押し上げタイプのものとする実施形態も可能である。さらに、器具全体の大きさ、各部品の形状や素材についても、用途に応じて様々の実施形態が可能であって、それらについての本実施形態と異なる形態又は方法による実施は、本考案の技術的範囲に含まれるものと解する。
【符号の説明】
【００２５】
１      給水部
１１    貯水タンク
１２    給水キャップ
１３    小キャップ
１３１  給水孔
１４    パッキン
２      本体部
２１    タンク受入溝
２２    錘挿入口
２３    トレイ載置部
３      錘
４      トレイ
【図１】
0003199616.tif 000003
【図２】
0003199616.tif 000004
【図３】
0003199616.tif 000005
【図４】
0003199616.tif 000006
【図５】
0003199616.tif 000007